(57)【要約】【課題】ゴルフ用ボールマークを提供する。【解決手段】本発明のゴルフ用ボールマークＡは、開放孔１２を有する円形ケース１０に円板バネ２０を嵌着し、円形ケース１０の上部に露出された円板バネ２０の上面に発光ダイオード点滅制御チップ３２が搭載された薄膜プリント回路基板３０と、そこに連結され、多数の表面実装発光ダイオード３６を有する可撓性プリント回路ケーブル３４を載置し、その上に透明ゴム層４０が硬化形成されるように構成し、円形ケース１０の下部に露出された円板バネ２０の収納部に電池４２を収納し、ボタンスイッチ４４とボタンカバー４６を積層し、軟性樹脂により融着固定された下部固定部５４を配設したものである。【選択図】図１
2010536467.tif 000002
【特許請求の範囲】
【請求項１】
ゴルフ用ボールマークにおいて、開放孔（１２）を有する円形ケース（１０）に円板バネ（２０）を嵌着し、円形ケース（１０）の上部に露出された円板バネ（２０）の上面に発光ダイオード点滅制御チップ（３２）が搭載された薄膜プリント回路基板（３０）と、そこに連結され、多数の表面実装発光ダイオード（３６）を有する可撓性プリント回路ケーブル（３４）を載置し、その上に透明ゴム層（４０）が硬化形成されるように構成し、円形ケース（１０）の下部に露出された円板バネ（２０）の収納部に電池（４２）を収納し、ボタンスイッチ（４４）とボタンカバー（４６）を積層し、軟性樹脂により融着固定された下部固定部（５４）を配設することを特徴とするゴルフ用ボールマーク。
【請求項２】
円形ケース（１０）の縁部の挿入孔（５２）に磁石片（５０）が嵌入するように構成することを特徴とする請求項１に記載のゴルフ用ボールマーク。
【請求項３】
ボタンカバー（４６）に下方突起（４８）が突設されることを特徴とする請求項１又は２に記載のゴルフ用ボールマーク。
【請求項４】
円板バネ（２０）の上面の一部には薄膜プリント回路基板（３０）と連結された太陽電池部（７０）がさらに積層されることを特徴とする請求項１又は２に記載のゴルフ用ボールマーク。
【請求項５】
ゴルフ用ボールマークにおいて、上部溝（８２）を有する円形ケース（１０ａ）内に発光ダイオード点滅制御チップ（３２）が搭載され、多数の表面実装発光ダイオード（３６）を有する可撓性プリント回路ケーブル（３４）が連結された薄膜プリント回路基板（３０）を嵌着し、薄膜プリント回路基板（３０）の上面の一部には太陽電池部（７０）とスイッチボタン（９０）を積層し、透明層（４０）が硬化形成されるようにするが、スイッチボタン（９０）は外部に露出されるように構成することを特徴とするゴルフ用ボールマーク。
【請求項６】
薄膜プリント回路基板（３０）の底部には電池（４２）がさらに配設されることを特徴とする請求項５に記載のゴルフ用ボールマーク。
【請求項７】
円形ケース（１０ａ）の底面には下方突起（９４）が突設されることを特徴とする請求項５又は６に記載のゴルフ用ボールマーク。
【発明の詳細な説明】
【技術分野】
【０００１】
本発明はゴルフ用ボールマークの改良に関する。
【背景技術】
【０００２】
ゴルファーはボール（ゴルフボール）を約２００メートル乃至３００メートルもの距離を１打で送ることができるが、これに対し、グリーンの上において１メートルにもならない距離にあるボールを１打だけでカップに入れることができないことがしばしばある。グリーンは、ゴルフ競技の途中でボールを手で直接的に拾い上げたり触ったり払拭したりできる唯一のエリアである。グリーン上でのパットは極めて繊細なものであり、しかも、高度の精巧性と集中力が要求されるため、プレーヤーはボールマークをボールの直後ろ（カップから遠い個所）にし、そのボールを拾い上げてボールに付いた泥や他の異物を除去したり払拭することができるが、その後他のプレーヤーのパットに邪魔にならないために、ボールマークをしてボールを除かなければならない。その後、本人プレイの順番になったプレーヤーはさらにボールマーク位置にボールを置くと共に、ボールマークを除いて競技を続行することになる。
【０００３】
グリーン上でボールとカップとの間が平面ならば、パットの困難さは低減する。しかし、カップに至るグリーン面には様々な形状の起伏と傾斜が形成されているため、ボールからカップまでのパットのラインを正確に読むことが極めて重要である。正確にパットのラインを読めなければ、パット時にボールの進行方向とパワーの調節具合を決定することができない。
【０００４】
パットのラインを読むために、プレーヤーは、通常、ボールの位置をボールマークでマークし、ボールマークとは反対となるカップの後ろからボールマークの位置を確認する行動を行うが、このとき、ボールマークがカップに近いエリア（例えば、１〜３メートル程度）にあれば、そのボールマークを容易に視認することができるが、ボールマークがカップから１０メートル以上離れていると、そのボールマークを視認するのに苦労することになる。正確にパットのラインを読むためには、視線の高さをグリーン地面に近づけた方が有利なため、しばしば地面に伏して見ることになるが、その際起伏あるいはボールマークがグリーンの芝生中に潜り込んだ状態により、そのボールマークが見え難くなると、そのときには起立しなければならないため、プレーヤーは座ったり起立したりする行動を頻繁に繰り返さざるをえない。
【０００５】
さらに、日光が強過ぎてボールマーク位置が把握できない場合もあり、曇天下や夜明けや夕方または夜間照明下でもボールマークを視認するのに難点があった。
【発明の概要】
【発明が解決しようとする課題】
【０００６】
そこで、本発明の目的は、ボールマーク位置を視認し易いゴルフ用ボールマークを提供するところにある。
【０００７】
本発明の他の目的は、ボールマーク位置がプレーヤーに一層目立って視認され、しかも、距離測定にも役立つゴルフ用ボールマークを提供するところにある。
【０００８】
本発明のさらに他の目的は、ボールマーク位置の表示方法を調節可能であり、しかも、携帯し易いゴルフ用ボールマークを提供するところにある。
【課題を解決するための手段】
【０００９】
上述した目的を達成するために、本発明は、ゴルフ用ボールマークにおいて、開放孔１２を有する円形ケース１０に円板バネ２０を嵌着し、円形ケース１０の上部に露出された円板バネ２０の上面に発光ダイオード点滅制御チップ３２が搭載された薄膜プリント回路基板３０と、そこに連結され、多数の表面実装発光ダイオード３６を有する可撓性プリント回路ケーブル３４を載置し、透明ゴム層４０が硬化形成されるように構成し、円形ケース１０の下部に露出した円板バネ２０の収納部に電池４２を収納し、ボタンスイッチ４４とボタンカバー４６を積層し、軟性樹脂により融着固定された下部固定部５４を配設することを特徴とする。
【００１０】
また、本発明は、ゴルフ用ボールマークにおいて、上部溝８２を有する円形ケース１０ａ内に発光ダイオード点滅制御チップ３２が搭載され、多数の表面実装発光ダイオード３６を有する可撓性プリント回路ケーブル３４が連結された薄膜プリント回路基板３０を嵌着し、薄膜プリント回路基板３０の上面の一部には太陽電池部７０とスイッチボタン９０を積層し、透明層４０が硬化形成されるようにするが、スイッチボタン９０は外部に露出されるように構成することを特徴とする。
【発明の効果】
【００１１】
本発明は、ボールマークを点灯・点滅させることにより、ボールマーク位置を容易に視認することができるだけではなく、ボールマーク位置がプレーヤーに一層目立って視認され、距離測定にも役立つ。必要に応じて、ボールマーク位置の表示具合を調節して他のプレーヤーには目立たないようにしてもよい。さらに携帯し易いだけではなく、必要に応じて他のタイプのボールマークに変形して使用することができる。
【図面の簡単な説明】
【００１２】
【図１】本発明の実施形態によるゴルフ用ボールマークの斜視図。
【図２】図１の分解斜視図。
【図３】本発明によるゴルフ用ボールマークの使用状態を示す断面図。
【図４】本発明によるゴルフ用ボールマークの使用状態を示す断面図。
【図５】本発明によるゴルフ用ボールマークを帽子つばのクリップに付ける分解斜視図。
【図６】本発明の他の実施形態によるゴルフ用ボールマークの斜視図。
【図７】図６の断面図。
【図８】円板バネ及び薄膜プリント回路基板の変形例を示す断面図。
【図９】本発明のさらに他の実施形態によるゴルフ用ボールマークの斜視図。
【図１０】図９の分解斜視図。
【図１１】図９の断面図。
【発明を実施するための形態】
【００１３】
以下、添付図面に基づき、本発明の好適な実施形態を詳述する。
【００１４】
図１は、本発明の実施形態によるゴルフ用ボールマークの斜視図であり、図２は、図１の分解斜視図であり、図３は、本発明によるゴルフ用ボールマークの使用状態を示す断面図であり、図４は、本発明によるゴルフ用ボールマークの使用状態を示す断面図であり、そして図５は、本発明によるゴルフ用ボールマークを帽子つばのクリップに付ける分離斜視図である。
【００１５】
先ず、図１及び図２を参照すると、本発明の実施形態によるゴルフ用ボールマークＡは、直径が通常のコインと同じサイズ、またはそれよりもやや大きく構成され、開放孔１２を有する合成樹脂製の円形ケース１０を備える。円形ケース１０の開放孔１２の底部には凹凸部を形成して外周に多数の嵌合片２２を有する円板バネ２０が円形ケース１０の内部挿入溝１４に嵌入自在に構成する。
【００１６】
円板バネ２０は非導電性金属材質や弾力性を有する合成樹脂材質から形成され、初期形状が上部に凸状に湾曲形成された構造である。円板バネ２０は上方から力を加えると下方に凹状にへこみ、反対側の下方から力を加えるとさらに上方に凸状に盛り上がるように作用する板バネであり、その中心部には下部の電池４２との電気接続のための通孔２４が形成される。
【００１７】
円板バネ２０の中心底部面には電池収納のためのリング縁４０がスポット溶接され、リング縁４１内の収納部には電池４２が収納されるように構成する。
【００１８】
メーカーが円板バネ２０の嵌合片２２を円形ケース１０の底部の凹陥部に合わせて円形ケース１０の内部挿入溝１４に円板バネ２０を押し込んだ後に僅かに回して円形ケース１０の縁部に形成された多数の挿入孔５２と円板バネ２０の嵌合片２２内の締結溝を一致させた後、前記挿入孔５２に各磁石片５０をはめ込むと、円板バネ２０は円形ケース１０に嵌着される。
【００１９】
その後、円板バネ２０をひっくり返した状態で、円板バネ２０の下部挿入部に電池４２を収納し、ボタンスイッチ４４とボタンカバー４６を積層するが、ボタンカバー４６には円板バネ２０のリング縁４１の外面に嵌まり込む嵌合部が一体に形成されるようにすることが好ましい。前記ボタンカバー４６の下部には下方突起４８を一体に形成するが、前記下方突起４８は円板バネ２０が凸状に盛り上がった元の状態で円形ケース１０の下面から僅かに突き出るように形成する（図３参照）。このようなボタンカバー４６の下方突起４８を形成することにより、図５に基づいて説明する帽子つばのクリップ締結具Ｂの係止溝６４に引っ掛かり易くなる。
【００２０】
また、ボタンカバー４６の他の実施形態として、ボタンカバー４６の下部は下方突起４８が除去された平らな形状に形成されるようにしてもよい。
【００２１】
前記ボタンカバー４６まで装着した後には、円板バネ２０の下部に液状軟性樹脂を注入し且つ硬化させて円板バネ２０に下部固定部５４が形成されるようにする。
【００２２】
軟性の下部固定部５４を形成した後には、円形ケース１０をさらにひっくり返して円形ケース１０の上部が上方を向くようにし、円形ケース１０の上部に露出された円板バネ２０の上面にベアチップ状の発光ダイオード点滅制御チップ３２が搭載された薄膜プリント回路基板３０と、そこに連結され、多数の表面実装発光ダイオード３６を有する可撓性プリント回路ケーブル３４が載置されるようにし、その上に液状の透明ゴムを注入して透明ゴム層４０が硬化形成されるように構成する。可撓性プリント回路ケーブル３４は、図２に示すように、例えば、螺子線状に形成することができ、図１０に示すように、例えば、多数列の可撓性プリント回路ケーブルで放射配列されるように形成することもできる。
【００２３】
前記薄膜プリント回路基板３０は、例えば、円板バネ２０の通孔２４に遊嵌されて薄膜プリント回路基板３０の下部端子片３１が電池４２と電気的に接触されるように形成し、薄膜プリント回路基板３０に連結された可撓性プリント回路ケーブル３４は円板バネ２０の上面に満遍なく配置されるようにしてもよい。
【００２４】
他の変形例によれば、図８の断面図に示すように、非導電性材質の円板バネ２０の中心部に小通孔を形成し、その小通孔に半田付け処理などにより電気連結部３１ａが形成されるようにして、小通孔の電気連結部３１ａが円板バネ２０の下部面に形成された端子片３１と円板バネ２０の上面に可撓性の薄膜プリント回路基板３０を電気的に連結するように構成する。
【００２５】
薄膜プリント回路基板３０に搭載された発光ダイオード点滅制御チップ３２は、下部のボタンスイッチ４４と電気的に連結される。また、前記点滅制御チップ３２は、薄膜プリント回路基板３０に連結された可撓性プリント回路ケーブル３４上の表面実装発光ダイオード３６に対する発光制御と点灯または点滅制御周期を内部メモリにプログラムしており、ボタンカバー４６のボタンスイッチ４４がオンとなるように押されることにより、予め設定されたプログラムに基づいて多数の表面実装発光ダイオード３６を発光制御する。
【００２６】
可撓性プリント回路ケーブル３４に多数形成された表面実装発光ダイオード３６は、明るい赤色、青色、燈色、白色などの種々の色相として備え、それぞれは高輝度点灯発光または点滅発光が可能である。
【００２７】
本発明の実施形態においては、点滅制御チップ３２のプログラムをマッピング時に、日光が強いかあるいは日照量が多いときにも容易に視認可能な明るい赤色や燈色などの警告色相の表面実装発光ダイオード３６が発光されるように実現し、天気が曇天下や夕方や夜明け時には白色などの明るい色相の表面実装発光ダイオード３６が発光されるように実現し、他の同伴競技者の目に障らないようにするために青色や緑色などのゴルフ場周りの色相に近い表面実装発光ダイオード３６が発光されるように実現される。なお、表面実装発光ダイオード３６の点灯状態が続くように発光制御する、または表面実装発光ダイオード３６が断続的に点灯されるように、すなわち、点滅発光制御をすることもできる。
【００２８】
図６は、本発明の他の実施形態によるゴルフ用ボールマークＡの斜視図であり、図７は、図６の断面図である。
【００２９】
本発明の他の実施形態による図６及び図７のゴルフ用ボールマークＡは、図１から図４に示すゴルフ用ボールマークＡと略同様であるが、円板バネ２０の上面の一部には薄膜プリント回路基板３０と電気的に連結された太陽電池部７０をさらに備えている。前記太陽電池部７０は、円板バネ２０の上面のうち、薄膜プリント回路基板３０の上部に積層形成されるようにして、円板バネ２０の上面に配置された表面実装発光ダイオード３６と重なり合わないようにする。
【００３０】
太陽電池部７０は、太陽光を吸収し、光電変換して電気エネルギーを発生し、薄膜プリント回路基板３０に伝達して表面実装発光ダイオード３６が発光動作するための補助電源として利用可能である。また、太陽電池部７０は、下部の電池４２が完全に放電された後には主電源としても利用可能である。
【００３１】
図１から図４に示すゴルフ用ボールマークＡや、図６から図８に示すゴルフ用ボールマークＡは、円板バネ２０を内蔵するため、ユーザーが上方や下方を選択的に押すと、図３及び図４に示すように、その表面が上方に凸状に盛り上がったり、凹状に入るように作動する。
【００３２】
その表面が上方に凸状に盛り上がる場合、ゴルフ用ボールマークＡの発光状態は、図３に示すように、広い放射角度を有し、プレーヤーに積極的に視認されるようになり、その表面が凹状になる場合には、ゴルフ用ボールマークＡの発光状態は弱くとなり、また、狭い放射角度を形成して、同伴競技者に視認されにくくなる。
【００３３】
プレーヤーは、ボタンカバー４６のボタンスイッチ４４を手で押して発光されるようにでき、本発明によって、一回ずつ押す度にそれぞれ異なる色相に発光され、また、点灯状態や点滅状態が維持可能なように実現することができる。なお、ゴルフ用ボールマークＡの表面状態を凸状または凹状に維持することもできる。
【００３４】
上記のように、発光状態の調節によって、ゴルフ用ボールマークＡのボールマーク位置の表示方法を自分が希望する形態に調節できるようにして、プレーヤーの利便性を図る。特に、ゴルフ用ボールマークＡの点滅表示制御は、プレーヤーがカップとボールマーク位置との間の距離を測定する上でかなり役立つ。
【００３５】
例えば、プレーヤー本人が距離測定時には警告色相が発光されながら点滅されるようにして、距離測定を一層容易に調節することができ、他の同伴競技者がパット時にはゴルフ用ボールマークＡを消灯したり表面を凹状にしてもよく、あるいは発光をさせるにしても周りの色相とほとんど同じ色相に発光させて競技に邪魔にならないようにしてもよい。
【００３６】
上記のように、本発明のゴルフ用ボールマークＡは、ボールマーク位置の表示具合を調節することが可能であり、しかも携帯し易い。
【００３７】
上方に表面が凸状に盛り上がった状態のゴルフ用ボールマークＡは、下部の下方突起４８が底下部面の下方にやや突き出ているため、ポケットなどに入れ易く、図５に示すように、係止溝６４を有する帽子つばのクリップ締結具Ｂに容易に付けることもできる。
【００３８】
図５の帽子つばのクリップ締結具Ｂは帽子つばに嵌着され、係止溝６４が形成された磁性板６２を有するクリップ本体６０の下部に嵌合片６６が一体に形成された構造である。
【００３９】
プレーヤーが、図５の帽子つばのクリップ締結具Ｂに、図５に示すように、ゴルフ用ボールマークＡを載せると、ゴルフ用ボールマークＡの磁石片５０の磁力により帽子つばのクリップ締結具Ｂの磁性板６２に付けられ、さらに、図３に示すように、ボタンカバー４６の下方突起４８のうち、ゴルフ用ボールマークＡの下部面の下方にやや突き出た部分が帽子つばのクリップ締結具Ｂの係止溝６４に引っ掛かるため、より強固な付着状態が維持される。
【００４０】
さらに、本発明のゴルフ用ボールマークＡの構造は、図５に示す帽子つばのクリップ締結具Ｂに加えて、他の帽子つばのクリップ締結具にも容易に付けることができる。
【００４１】
図９から図１１は、本発明のさらに他の実施形態によるゴルフ用ボールマークＡ１を示す図であり、図９は、本発明のさらに他の実施形態によるゴルフ用ボールマークＡ１の斜視図であり、図１０は、図９の分解斜視図であり、図１１は、図９の断面図である。
【００４２】
本発明のさらに他の実施形態によるゴルフ用ボールマークＡ１は、図１から図８に示すゴルフ用ボールマークＡと同様であるが、円板バネ２０がないところに特徴がある。
【００４３】
より具体的に、本発明のさらに他の実施形態によるゴルフ用ボールマークＡ１は、図１０に示すように、上部溝８２を有する円形ケース１０ａ内に発光ダイオード点滅制御チップ３２が搭載され、多数の表面実装発光ダイオード３６を有する可撓性プリント回路ケーブル３４が連結された薄膜プリント回路基板３０を嵌着し、薄膜プリント回路基板３０の上面の一部には可撓性プリント回路ケーブル３４とは互い違いに多数の太陽電池部７０と１本のスイッチボタン９０を積層し、その上に透明層４０が硬化形成されるようにするが、スイッチボタン９０は表面の外部に露出されるように構成したものである。
【００４４】
また、前記ゴルフ用ボールマークＡ１は、円形ケース１０ａの底部に形成された電池収納溝８４に電池４２が挿入されるようにして、薄膜プリント回路基板３０の底部の端子片と電気的に連結されるようにでき、このとき、電池４２は、消耗性である１次電池であってもよく、また、充放電可能な２次電池としても実現可能であることを理解しなければならない。
【００４５】
スイッチボタン９０は、プッシュ型ボタンやタッチ式ボタンにより実現することができ、円形ケース１０ａの底面には下方突起９４が形成されるように構成することもできる。また、円形ケース１０ａの底面には下方突起９４がないように実現してもよい。
【００４６】
図１０中、未説明符号「８０」は、薄膜プリント回路基板３０の外周に延びた嵌合片であり、磁石片５０が嵌着される内部締結溝を有し、「８６」は薄膜プリント回路基板３０に形成された端子片である。
【００４７】
そして、図９に示す帽子つばのクリップ締結具Ｂは、図５に示す帽子つばのクリップ締結具Ｂと同じ構成である。
【００４８】
図９から図１１に示す本発明のさらに他の実施形態によるゴルフ用ボールマークＡ１は、簡単で且つ強固であるという構造的特徴があり、多数の太陽電池部７０による充放電が容易である。
【００４９】
上述した本発明の説明においては、具体的な実施形態について説明したが、種々の変形が本発明の範囲から逸脱することなく実施可能である。よって、本発明の範囲は説明された実施形態によって定まるものではなく、特許請求の範囲と特許請求の範囲の均等物によって定まるものである。
【産業上利用可能性】
【００５０】
本発明はゴルフ用品として利用可能である。
【符号の説明】
【００５１】
１０、１０ａ……円形ケース、
２０……円板バネ、
３０……薄膜プリント回路基板、
３２……点滅制御チップ、
３４……可撓性プリント回路ケーブル、
３６……表面実装発光ダイオード、
４０……透明ゴム層、
４２……電池、
４４……ボタンスイッチ、
４６……ボタンカバー、
５０……磁石片、
５４……下部固定部、
７０……太陽電池部、
９０……スイッチボタン
【図１】
2010536467.tif 000003
【図２】
2010536467.tif 000004
【図３】
2010536467.tif 000005
【図４】
2010536467.tif 000006
【図５】
2010536467.tif 000007
【図６】
2010536467.tif 000008
【図７】
2010536467.tif 000009
【図８】
2010536467.tif 000010
【図９】
2010536467.tif 000011
【図１０】
2010536467.tif 000012
【図１１】
2010536467.tif 000013
【国際調査報告】
2010536467.tif 000014
2010536467.tif 000015